(57)【要約】【課題】シュレッダーの紙差込口の紙進入角度の調整、及びシュレッダー操作の高度/方向の調整を行い、シュレッダー使用時の利便性を高める多方向調整機能を具えたシュレッダーの補助装置の提供。【解決手段】多方向調整機能を具えたシュレッダーの補助装置は、底板、フレーム、底板とフレームを連結する高度/方向調整部品、及びフレームの上縁付近に設置した紙差込口角度調整部品から構成される。実施に於いて、シュレッダー及び補助設備の紙屑箱を補助装置の上に設置し、シュレッダーと紙差込口角度調整部品を連結し、シュレッダーを最も使いやすい紙差込角度に調整する。また高度／方向調整部品は底板とフレームの間の距離を変え、シュレッダーを最も操作しやすい高度に調整する。【選択図】図２
0003133354.tif 000002
【実用新案登録請求の範囲】
【請求項１】
シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板上には紙を切削刃へ導く紙差込口が設置されるシュレッダーと、
シュレッダーを載せ、シュレッダーの紙送り角度、高度及び方向の調整機能を提供する補助装置を含むことを特徴とする多方向調整機能を具えたシュレッダーの補助装置。
【請求項２】
請求項１記載の多方向調整機能を具えたシュレッダーの補助装置において、前記補助装置は、底板、フレーム、高度/方向調整部品及び紙差込口角度調整部品を含むことを特徴とする多方向調整機能を具えたシュレッダーの補助装置。
【請求項３】
請求項２記載の多方向調整機能を具えたシュレッダーの補助装置において、前記高度/方向調整部品は、底板とフレームの間に設置し、底板の中心に固定するネジ桿により、フレームとネジ止めし、フレームを回転することによってフレームと底板の間の距離を調整することを特徴とする多方向調整機能を具えたシュレッダーの補助装置。
【請求項４】
請求項２記載の多方向調整機能を具えたシュレッダーの補助装置において、前記紙差込口角度調整部品は、フレームの上縁箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置。
【請求項５】
シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板状には紙を切削刃へ導く紙差込口が設置されるシュレッダーと、
シュレッダーの紙送り角度、高度及び方向を含む調整機能を提供する補助装置を含むことを特徴とする多方向調整機能を具えたシュレッダーの補助装置。
【請求項６】
請求項５記載の多方向調整機能を具えたシュレッダーの補助装置において、前記補助装置は、底板、高度/方向調整部品及び紙差込口角度調整部品を含むことを特徴とする多方向調整機能を具えたシュレッダーの補助装置。
【請求項７】
請求項６記載の多方向調整機能を具えたシュレッダーの補助装置において、前記高度/方向調整部品は、底板とフレームの間に設置して、底板の中心に固定するネジ桿により、フレームとネジ止めし、フレームを回転させてフレームと底板の間の距離を調整することを特徴とする多方向調整機能を具えたシュレッダーの補助装置。
【請求項８】
請求項６記載の多方向調整機能を具えたシュレッダーの補助装置において、前記紙差込口角度調整部品は、フレームの上縁の支持板箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置。
【考案の詳細な説明】
【技術分野】
【０００１】
本考案は、シュレッダーに関するもので、特にシュレッダーの紙差込口の角度の調整、及びシュレッダーの高度と方向を調整し、多方向調整機能を具えたシュレッダーの補助装置である。
【背景技術】
【０００２】
公務上の法律ファイル、金融関係の領収書、手形、クレジットカードナンバー、研究報告、または家族構成員の財務資料であるクレジットカードの報告書、通話報告書など各書類は外に漏れて悪用されるのを防止するため、通常機密性の高いファイルもしくはデータをシュレッダーで細かく砕いてデータが外に漏れるのを防ぐ。シュレッダーは今では、オフィス及び家庭において欠くことのできない設備となっている。
【０００３】
一般のシュレッダーの基本作動原理は多数の切削カッター(cutting blades)にスペーサー(spacers)を設置して回転カッター軸(rotary shafts)上に差し込み、モーター及びギア装置(motor and gear box)で二本の平行且つ相対して回転するカッター軸を駆動し、通過する紙をカット力で紙を細長く切るものである。またシュレッダーは、機械の切削モジュールと異なり、区分が直線式シュレッダー(stripe-cut shredders)及びクロスカット式シュレッダー(cross-cut shredders)の二種に分かれ、前者は切削用カッターを回転カッター輪上に排列して紙を縦方向に細長く切る。後者のカッター上には一個以上の鈎状刃を具え、且つカッター片は回転カッター輪上で螺旋状に排列し、紙を縦方向で細長形状に切るだけでなく、更に横方向にも裁断して細かい紙片にする。
【０００４】
上述の直線式シュレッダー、もしくはクロスカット式シュレッダーどちらに於いても、一般に販売する時には、すべてカットした紙を入れる紙屑箱(basket or bin)を設置が、従来のシュレッダーには例として紙の角度、高さ、方向等を調整する機能を具えておらず、そのためシュレッダーを半開放空間のデスク下等の位置に置いた時、使用が非常に不便となる点である。
【考案の開示】
【考案が解決しようとする課題】
【０００５】
本考案の主な目的は多方向調整機能を具えたシュレッダーの補助装置を提供し、シュレッダーの紙差込口の角度を調整し、またシュレッダーの操作高度/方向を調整することによって、使用時の利便性を高める。
【０００６】
上述の目的のため、本考案の多方向調整機能を具えたシュレッダーの補助装置は、底板、フレーム、底板とフレームを連結する高度/方向調整部品、及びフレームの上縁付近に設置した紙差込口角度調整部品から構成される。実施に於いて、シュレッダー及び補助設備の紙屑箱を補助装置の上に設置し、シュレッダーと紙差込口角度調整部品を連結し、シュレッダーを最も使いやすい紙差込角度に調整する。また高度／方向調整部品は底板とフレームの間の距離を変え、シュレッダーを最も操作しやすい高度に調整する。
【課題を解決するための手段】
【０００７】
請求項１の考案は、シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板上には紙を切削刃へ導く紙差込口が設置されるシュレッダーと、
シュレッダーを載せ、シュレッダーの紙送り角度、高度及び方向の調整機能を提供する補助装置を含むことを特徴とする多方向調整機能を具えたシュレッダーの補助装置としている。
請求項２の考案は、請求項１記載の多方向調整機能を具えたシュレッダーの補助装置において、前記補助装置は、底板、フレーム、高度/方向調整部品及び紙差込口角度調整部品を含むことを特徴とする多方向調整機能を具えたシュレッダーの補助装置としている。
請求項３の考案は、請求項２記載の多方向調整機能を具えたシュレッダーの補助装置において、前記高度/方向調整部品は、底板とフレームの間に設置し、底板の中心に固定するネジ桿により、フレームとネジ止めし、フレームを回転することによってフレームと底板の間の距離を調整することを特徴とする多方向調整機能を具えたシュレッダーの補助装置としている。
請求項４の考案は、請求項２記載の多方向調整機能を具えたシュレッダーの補助装置において、前記紙差込口角度調整部品は、フレームの上縁箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置としている。
【０００８】
請求項５の考案は、シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板状には紙を切削刃へ導く紙差込口が設置されるシュレッダーと、
シュレッダーの紙送り角度、高度及び方向を含む調整機能を提供する補助装置を含むことを特徴とする多方向調整機能を具えたシュレッダーの補助装置としている。
請求項６の考案は、請求項５記載の多方向調整機能を具えたシュレッダーの補助装置において、前記補助装置は、底板、高度/方向調整部品及び紙差込口角度調整部品を含むことを特徴とする多方向調整機能を具えたシュレッダーの補助装置としている。
請求項７の考案は、請求項６記載の多方向調整機能を具えたシュレッダーの補助装置において、前記高度/方向調整部品は、底板とフレームの間に設置して、底板の中心い固定するネジ桿により、フレームとネジ止めし、フレームを回転させてフレームと底板の間の距離を調整することを特徴とする多方向調整機能を具えたシュレッダーの補助装置としている。
請求項８の考案は、請求項６記載の多方向調整機能を具えたシュレッダーの補助装置において、前記紙差込口角度調整部品は、フレームの上縁の支持板箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置としている。
【考案の効果】
【０００９】
本考案の多方向調整機能を具えたシュレッダーの補助装置は、シュレッダーの紙差込口の紙進入角度の調整、及びシュレッダー操作の高度/方向の調整を行い、シュレッダー使用時の利便性を高めるという利点がある。
【考案を実施するための最良の形態】
【００１０】
図１は、本考案の外観立体図で、図２は本考案のシュレッダーの高度/方向を調整した概略図である。
図に示すとおり、シュレッダー１０は、本機体１１及び紙屑箱１２の二個の主要部分を含む。そのうち、本機体１１内部装置には従来の切削刃及びモーター等部品が設置され、本機体１１の面板１１１上には紙を切削刃へ導く紙差込口１１２が設置される。上述のシュレッダー１０は多方向調整機能を具えた補助装置の上に置く。この補助装置は、底板２１、フレーム２２、高度/方向の調整部品２３及び紙差込口角度調整部品２４を含む。
そのうち、高度/方向調整部品２３は、底板２１とフレーム２２の間に設置し、その具体的な実施方式は、図２に示すとおり、底板２１の中心のネジ桿２３１に固定することにより、フレーム２２に予め設置したネジ紋が、フレーム２２を回転させてフレーム２２と底板２１間の距離を調整し、シュレッダー１０全体の高度を調整する。また回転させる時に、使用者が最も使いやすい方向に調整する。
【００１１】
図３に示すとおり、紙差込口角度調整部品２４はフレーム２２の上縁箇所に設置し、円弧形の定位槽２４１及び定位槽２４１を跨いで設置する定位ボタン２４２を含む。定位槽２４１で定位ボタン２４２の位置を調整するもので、即ちシュレッダー１０の紙差込口１１２の紙差込角度を変え、使用者が最も使用しやすい角度にして紙差込口１１２に紙を入れて細かくする。
【００１２】
図４は、本考案の別の実施例で、紙屑箱の機能を具えたフレーム２２が同様に高度/方向調整部品２３と底板２１を結合させ、フレーム２２を回転することにより底板２１間の距離を調整し、シュレッダー１０全体の高度を調整する。またフレーム２２上縁の支持板２２１箇所に設置した紙差込口角度調整部品２４は、同様に円弧形の定位槽２４１及び定位槽２４１を跨ぐ定位ボタン２４２を含み、定位ボタン２４２を定位槽２４１の位置で調整すると、シュレッダー１０の紙差込口１１２の角度を調整し、紙差込口１１２を使用者が最も使いやすい角度にして細かくする。
【図面の簡単な説明】
【００１３】
【図１】本考案の外観立体図である。
【図２】本考案シュレッダーの高度、方向調整モジュールの概略図である。
【図３】本考案シュレッダーの紙差込口の角度調整モジュールの概略図である。
【図４】本考案の第二実施例の外観立体図である。
【符号の説明】
【００１４】
１０    シュレッダー
１１    本機体
１１１  面板
１１２  紙差込口
１２    紙屑箱
２１    底板
２２    フレーム
２２１  支持板
２３    高度/方向調整部品
２３１  ネジ桿
２４    紙差込口角度調整部品
２４１  定位槽
２４２  定位ボタン
【図１】
0003133354.tif 000003
【図２】
0003133354.tif 000004
【図３】
0003133354.tif 000005
【図４】
0003133354.tif 000006
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板上には紙を切削刃へ導く紙差込口が設置されるシュレッダーと、
底板、フレーム、高度/方向調整部品及び紙差込口角度調整部品を含み、シュレッダーの紙送り角度、高度及び方向の調整機能を提供する補助装置を含むことを特徴とする多方向調整機能を具えたシュレッダーの補助装置。
【請求項２】
請求項１記載の多方向調整機能を具えたシュレッダーの補助装置において、前記高度/方向調整部品は、底板とフレームの間に設置し、底板の中心に固定するネジ桿により、フレームとネジ止めし、フレームを回転することによってフレームと底板の間の距離を調整することを特徴とする多方向調整機能を具えたシュレッダーの補助装置。
【請求項３】
請求項１記載の多方向調整機能を具えたシュレッダーの補助装置において、前記紙差込口角度調整部品は、フレームの上縁箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置。
【請求項４】
シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板状には紙を切削刃へ導く紙差込口が設置されるシュレッダーと、
底板、フレーム、高度/方向調整部品及び紙差込口角度調整部品を含み、シュレッダーの紙送り角度、高度及び方向を含む調整機能を提供する補助装置を含むことを特徴とする多方向調整機能を具えたシュレッダーの補助装置。
【請求項５】
請求項４記載の多方向調整機能を具えたシュレッダーの補助装置において、前記高度/方向調整部品は、底板とフレームの間に設置して、底板の中心に固定するネジ桿により、フレームとネジ止めし、フレームを回転させてフレームと底板の間の距離を調整することを特徴とする多方向調整機能を具えたシュレッダーの補助装置。
【請求項６】
請求項４記載の多方向調整機能を具えたシュレッダーの補助装置において、前記紙差込口角度調整部品は、フレームの上縁の支持板箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置。
【手続補正２】
【補正対象書類名】明細書
【補正対象項目名】全文
【補正方法】変更
【補正の内容】
【考案の詳細な説明】
【技術分野】
【０００１】
本考案は、シュレッダーに関するもので、特にシュレッダーの紙差込口の角度の調整、及びシュレッダーの高度と方向を調整し、多方向調整機能を具えたシュレッダーの補助装置である。
【背景技術】
【０００２】
公務上の法律ファイル、金融関係の領収書、手形、クレジットカードナンバー、研究報告、または家族構成員の財務資料であるクレジットカードの報告書、通話報告書など各書類は外に漏れて悪用されるのを防止するため、通常機密性の高いファイルもしくはデータをシュレッダーで細かく砕いてデータが外に漏れるのを防ぐ。シュレッダーは今では、オフィス及び家庭において欠くことのできない設備となっている。
【０００３】
一般のシュレッダーの基本作動原理は多数の切削カッター(cutting blades)にスペーサー(spacers)を設置して回転カッター軸(rotary shafts)上に差し込み、モーター及びギア装置(motor and gear box)で二本の平行且つ相対して回転するカッター軸を駆動し、通過する紙をカット力で紙を細長く切るものである。またシュレッダーは、機械の切削モジュールと異なり、区分が直線式シュレッダー(stripe-cut shredders)及びクロスカット式シュレッダー(cross-cut shredders)の二種に分かれ、前者は切削用カッターを回転カッター輪上に排列して紙を縦方向に細長く切る。後者のカッター上には一個以上の鈎状刃を具え、且つカッター片は回転カッター輪上で螺旋状に排列し、紙を縦方向で細長形状に切るだけでなく、更に横方向にも裁断して細かい紙片にする。
【０００４】
上述の直線式シュレッダー、もしくはクロスカット式シュレッダーどちらに於いても、一般に販売する時には、すべてカットした紙を入れる紙屑箱(basket or bin)を設置が、従来のシュレッダーには例として紙の角度、高さ、方向等を調整する機能を具えておらず、そのためシュレッダーを半開放空間のデスク下等の位置に置いた時、使用が非常に不便となる点である。
【考案の開示】
【考案が解決しようとする課題】
【０００５】
本考案の主な目的は多方向調整機能を具えたシュレッダーの補助装置を提供し、シュレッダーの紙差込口の角度を調整し、またシュレッダーの操作高度/方向を調整することによって、使用時の利便性を高める。
【０００６】
上述の目的のため、本考案の多方向調整機能を具えたシュレッダーの補助装置は、底板、フレーム、底板とフレームを連結する高度/方向調整部品、及びフレームの上縁付近に設置した紙差込口角度調整部品から構成される。実施に於いて、シュレッダー及び補助設備の紙屑箱を補助装置の上に設置し、シュレッダーと紙差込口角度調整部品を連結し、シュレッダーを最も使いやすい紙差込角度に調整する。また高度／方向調整部品は底板とフレームの間の距離を変え、シュレッダーを最も操作しやすい高度に調整する。
【課題を解決するための手段】
【０００７】
請求項１の考案は、シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板上には紙を切削刃へ導く紙差込口が設置されるシュレッダーと、
底板、フレーム、高度/方向調整部品及び紙差込口角度調整部品を含み、シュレッダーの紙送り角度、高度及び方向の調整機能を提供する補助装置を含むことを特徴とする多方向調整機能を具えたシュレッダーの補助装置としている。
請求項２の考案は、請求項１記載の多方向調整機能を具えたシュレッダーの補助装置において、前記高度/方向調整部品は、底板とフレームの間に設置し、底板の中心に固定するネジ桿により、フレームとネジ止めし、フレームを回転することによってフレームと底板の間の距離を調整することを特徴とする多方向調整機能を具えたシュレッダーの補助装置としている。
請求項３の考案は、請求項１記載の多方向調整機能を具えたシュレッダーの補助装置において、前記紙差込口角度調整部品は、フレームの上縁箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置としている。
請求項４の考案は、シュレッダーと補助装置から構成された多方向調整機能を具えたシュレッダーの補助装置において、
本機体及び紙屑箱を含み、そのうち本機体の内部装置には切削刃及びモーター等の部品を具え、本機体の面板状には紙を切削刃へ導く紙差込口が設置されるシュレッダーと、
底板、フレーム、高度/方向調整部品及び紙差込口角度調整部品を含み、シュレッダーの紙送り角度、高度及び方向を含む調整機能を提供する補助装置を含むことを特徴とする多方向調整機能を具えたシュレッダーの補助装置としている。
請求項５の考案は、請求項４記載の多方向調整機能を具えたシュレッダーの補助装置において、前記高度/方向調整部品は、底板とフレームの間に設置して、底板の中心に固定するネジ桿により、フレームとネジ止めし、フレームを回転させてフレームと底板の間の距離を調整することを特徴とする多方向調整機能を具えたシュレッダーの補助装置としている。
請求項６の考案は、請求項４記載の多方向調整機能を具えたシュレッダーの補助装置において、前記紙差込口角度調整部品は、フレームの上縁の支持板箇所に設置し、定位槽及び定位槽を跨ぐ定位ボタンを含み、定位槽で定位ボタンの位置を調整してシュレッダーの紙差込口の角度を変えることを特徴とする多方向調整機能を具えたシュレッダーの補助装置としている。
【考案の効果】
【０００８】
本考案の多方向調整機能を具えたシュレッダーの補助装置は、シュレッダーの紙差込口の紙進入角度の調整、及びシュレッダー操作の高度/方向の調整を行い、シュレッダー使用時の利便性を高めるという利点がある。
【考案を実施するための最良の形態】
【０００９】
図１は、本考案の外観立体図で、図２は本考案のシュレッダーの高度/方向を調整した概略図である。
図に示すとおり、シュレッダー１０は、本機体１１及び紙屑箱１２の二個の主要部分を含む。そのうち、本機体１１内部装置には従来の切削刃及びモーター等部品が設置され、本機体１１の面板１１１上には紙を切削刃へ導く紙差込口１１２が設置される。上述のシュレッダー１０は多方向調整機能を具えた補助装置の上に置く。この補助装置は、底板２１、フレーム２２、高度/方向の調整部品２３及び紙差込口角度調整部品２４を含む。
そのうち、高度/方向調整部品２３は、底板２１とフレーム２２の間に設置し、その具体的な実施方式は、図２に示すとおり、底板２１の中心のネジ桿２３１に固定することにより、フレーム２２に予め設置したネジ紋が、フレーム２２を回転させてフレーム２と底板２１間の距離を調整し、シュレッダー１０全体の高度を調整する。また回転させる時に、使用者が最も使いやすい方向に調整する。
【００１０】
図３に示すとおり、紙差込口角度調整部品２４はフレーム２２の上縁箇所に設置し、円弧形の定位槽２４１及び定位槽２４１を跨いで設置する定位ボタン２４２を含む。定位槽２４１で定位ボタン２４２の位置を調整するもので、即ちシュレッダー１０の紙差込口１１２の紙差込角度を変え、使用者が最も使用しやすい角度にして紙差込口１１２に紙を入れて細かくする。
【００１１】
図４は、本考案の別の実施例で、紙屑箱の機能を具えたフレーム２２が同様に高度/方向調整部品２３と底板２１を結合させ、フレーム２２を回転することにより底板２１間の距離を調整し、シュレッダー１０全体の高度を調整する。またフレーム２２上縁の支持板２２１箇所に設置した紙差込口角度調整部品２４は、同様に円弧形の定位槽２４１及び定位槽２４１を跨ぐ定位ボタン２４２を含み、定位ボタン２４２を定位槽２４１の位置で調整すると、シュレッダー１０の紙差込口１１２の角度を調整し、紙差込口１１２を使用者が最も使いやすい角度にして細かくする。
【図面の簡単な説明】
【００１２】
【図１】本考案の外観立体図である。
【図２】本考案シュレッダーの高度、方向調整モジュールの概略図である。
【図３】本考案シュレッダーの紙差込口の角度調整モジュールの概略図である。
【図４】本考案の第二実施例の外観立体図である。
【符号の説明】
【００１３】
１０    シュレッダー
１１    本機体
１１１  面板
１１２  紙差込口
１２    紙屑箱
２１    底板
２２    フレーム
２２１  支持板
２３    高度/方向の調整部品
２３１  ネジ桿
２４    紙差込口角度調整部品
２４１  定位槽
２４２  定位ボタン